(57)【特許請求の範囲】
【請求項１】
茶湯の注ぎ口を備えるポット本体と、このポット本体の口部にて着脱自在に支承され、その内部に茶葉をお湯とともに収容しフィルターにて茶湯として濾し取る浸出カップとの組合せになるティーポットであって、
前記浸出カップは、その底部にポット本体内に通じる開孔を有しポット本体の口部に支承されるカップ本体と、このカップ本体の内側に配置されその底部に該カップ本体の開孔につながる底面開孔を有する内カップからなり、
カップ本体と内カップの相互間に、カップ本体の開孔又は内カップの底面開孔の何れか一方を閉塞させて内カップの中で茶葉を湯と共に保持する弁体を設け、
カップ本体又は内カップに、それらの相対位置を一定に保持して弁体による開孔若しくは底面開孔の閉塞を維持する少なくとも１つの凸部を配置し、そのうちのもう一方については、内カップのカップ本体に対する回動にて該凸部に嵌まり込みカップ本体と内カップとをその底部同士で近接させて弁体による開孔若しくは底面開孔の閉塞を解除する凹部を配置してなる、ことを特徴とするティーポット。
【請求項２】
凸部がリブであり、凹部がスリットである請求項１記載のティーポット。
【請求項３】
フィルターは茶湯のみを濾し取る濾網とこの濾網を保持し内カップの底部にて配置されるフレームからなる、請求項１又は２記載のティーポット。
【発明の詳細な説明】
【０００１】
【発明の属する技術分野】
本発明は紅茶等の茶葉を予め浸出カップの中に入れてここに湯を注ぎ込み、該茶葉からお茶が充分に浸出した状態で茶湯のみをポット本体内に流出させる、いわゆる浸出タイプのティーポットに関し、該ポットの構造の簡素化を図りつつ茶葉と茶湯の確実な分離を実現しようとするものである。
【０００２】
【従来の技術】
浸出タイプのティーポットは、その基本構成が、茶湯を保持するポット本体と、このポット本体の口部に支承され、茶湯をポット本体内へ直接流出させる着脱式の浸出カップとの組合せからなっている。
【０００３】
浸出カップ内には茶葉と茶湯を分離するためのフィルターが配置されていて、茶湯は浸出カップの底部に設けた止水栓を開放することによってポット本体に注出されるようになっており、この点に関する先行技術としては、例えば実用新案登録第３０１６７３９号公報が参照される。
【０００４】
ところで、従来のティーポットは、浸出カップにおける茶湯の注出機構が複雑で部品点数が多いことから、長期の使用において作動不良を引き起し茶湯の確実な注出が行えないことが懸念されること、また、かかる浸出カップの洗浄等に際して分解組み立てを行う場合にその作業が煩雑であり、部品を紛失してしまうこともあって、その構造の簡素化が求められている。
【０００５】
【発明が解決しようとする課題】
本発明の課題は、浸出カップの構造の簡素化を図り、茶葉と茶湯を確実に分離できる新規なティーポットを提案するところにある。
【０００６】
【課題を解決するための手段】
本発明は、茶湯の注ぎ口を備えるポット本体と、このポット本体の口部にて着脱自在に支承され、その内部に茶葉をお湯とともに収容しフィルターにて茶湯として濾し取る浸出カップとの組合せになるティーポットであって、
前記浸出カップは、その底部にポット本体内に通じる開孔を有しポット本体の口部に支承されるカップ本体と、このカップ本体の内側に配置されその底部に該カップ本体の開孔につながる底面開孔を有する内カップからなり、
カップ本体と内カップの相互間に、カップ本体の開孔又は内カップの底面開孔の何れか一方を閉塞させて内カップの中で茶葉を湯と共に保持する弁体を設け、
カップ本体又は内カップに、それらの相対位置を一定に保持して弁体による開孔若しくは底面開孔の閉塞を維持する少なくとも１つの凸部を配置し、そのうちのもう一方については、内カップのカップ本体に対する回動にて該凸部に嵌まり込みカップ本体と内カップとをその底部同士で近接させて弁体による開孔若しくは底面開孔の閉塞を解除する凹部を配置してなる、ことを特徴とするティーポットである。
【０００７】
上記の構成になるティーポットにおいて、凸部はリブとすることができ、凹部はスリットとすることができる。
【０００８】
フィルターは茶湯のみを濾し取る濾網とこの濾網を保持し内カップの底部にて配置されるフレームからなるものが有利に適合する。
【０００９】
【発明の実施の形態】
内カップのカップ本体に対する回動にて凸部と凹部を合致させると、該内カップがカップ本体の軸芯に沿う向きに直線的に移動しその結果カップ本体と内カップの底部同士が近接する。これによって弁体によるカップ本体の開孔又は内カップの底面開孔の閉塞が解除され、内カップの中の茶湯のみがポット本体へと流出する。
【００１０】
【実施例】
以下、図面を参照して本発明をより具体的に説明する。
図１は本発明に従うティーポットの構成例をその側面を部分断面で示したものである。
【００１１】
図において番号１は茶湯を貯溜するポット本体である。このポット本体１はカップに茶湯を注ぐ注ぎ口１ａとポット本体１を取り扱うための把手１ｂを備える。
【００１２】
また、２は浸出カップである。この浸出カップ２はポット本体１の口部において適度な嵌合状態でもって支承されるカップ本体３とこのカップ本体３の内側に配置される内カップ４からなる。
【００１３】
カップ本体３はその底部にポット本体１に通じる開孔３ａを有しており、内カップ４はその底部にカップ本体３の開孔３ａを経てポットにつながる底面開孔４ａを有している。
【００１４】
また、５はカップ本体３と内カップ４の相互間に配置される弁体であり、この弁体５はこの例ではカップ本体３の底部で一体的に成形した基部５ａとこの基部５ａに組み合わさるボール５ｂからなり、ボール５ｂが内カップ４の底面開孔４ａを閉塞させることにより該内カップ４の中で茶葉を湯と共に保持するようになっている。
【００１５】
６は内カップ４の底部に配置され図２に示すような外観形状を有する把手付きのフィルターである。このフィルター６は茶葉と茶湯を分離する濾網６ａとこの濾網６ａを保持するフレーム６ｂからなる。
【００１６】
また、７は内カップ４の口部を密閉する蓋体、８はカップ本体３の内側底部においてそれと一体的に成形した例で示した凸部（リブ）、９は内カップ４の外側底部においてそれと一体的に成形した例で示した凹部（スリット）である。
【００１７】
内カップ４の中で茶葉を湯と共に保持する場合、上掲図１に示す如く、内カップ４はカップ本体３の凸部８の上に置かれ、それらの相対位置が一定になっており、この時、ボール５ｂが内カップ４の底面開孔４ａを閉塞するようになっている。
【００１８】
内カップ４をカップ本体３に対して回動させ、内カップ４の凹部９がカップ本体３の凸部８に嵌まり込むと図３に示すように内カップ４がカップ本体３内で落ち込み、それらの底部同士が近接し、弁体５の基部５ａがボール５ｂを押し退けることとなり、その結果、内カップ４の底面開孔４ａの閉塞が解除され、内カップ４内の茶湯がポット本体１内へと流出する。
【００１９】
内カップ４がカップ本体３の凸部８に置かれ内カップ４内で茶葉を湯とともに保持している時の凸部８と凹部９の位置関係を図４に、また、内カップ内の茶湯がポット本体１へ流出している時の凸部８と凹部９の位置関係を図５にそれぞれ示す。
【００２０】
上掲図１においては凸部８をリブとして、また、この凸部８に嵌まり込む凹部９をスリットとして示したが、本発明はこれにのみ限定されるものではなく、弁体５による閉塞と解除を簡便に行い得るものであればあらゆる形状のものが適用できる。
【００２１】
また、凸部８と凹部９はそれを一組として内カップ４、カップ本体３のそれぞれの周りに間隔をおいて複数設けることができるものであり、例えば、９０°おきに４箇所設けることにより、より小さな回動代でもって弁体５による閉塞と解除が行える。
【００２２】
ティーポットを構成する各部材の材質は、本発明ではとくに限定はされないが、取り扱い中の破損を回避するために樹脂製のものが好適であり、かかる樹脂としては耐熱性に優れるポリプロピレンやポリカーボネイト樹脂等を用いることができる。
【００２３】
【発明の効果】
本発明によれば、浸出カップの構造を簡素化できるので洗浄等のメンテナンスが簡単であり、内カップをカップ本体に対して回動させるだけで茶湯を確実にポット本体へ流出させることができる。
【図面の簡単な説明】
【図１】本発明に従うティーポットの構成説明図である。
【図２】フィルターの外観形状を示した図である。
【図３】茶湯をポット本体内へ流出させた状態を示した図である。
【図４】本発明に従うティーポットの要部の外観を示した図である。
【図５】本発明に従うティーポットの要部の外観を示した図である。
【符号の説明】
１  ポット本体
１ａ  注ぎ口
１ｂ  把手
２  浸出カップ
３  カップ本体
３ａ  開孔
３ｂ  レバー
４  内カップ
４ａ  底面開孔
５  弁体
５ａ  基部
５ｂ  ボール
６  フィルター
６ａ  濾網
６ｂ  フレーム
７  蓋体
８  凸部（リブ）
９  凹部（スリット）
【図１】
0004574024.tif 000002
【図２】
0004574024.tif 000003
【図３】
0004574024.tif 000004
【図４】
0004574024.tif 000005
【図５】
0004574024.tif 000006